(57)【要約】【課題】  機能部材の取り付け位置がキャビネットユニットの高さ方向に可変であり、使い勝手の向上した厨房装置を提供すること。【解決手段】  キャビネットユニット（１）の側板（５）の前面にレール（６）がキャビネットユニットの高さ方向に設けられ、レールに沿って機能部材の取り付け高さが可変とされている。【選択図】図１
2006006553.tif 000002
【特許請求の範囲】
【請求項１】
複数のキャビネットユニットが横方向に並設され、前方に機能部材を備えた厨房装置において、キャビネットユニットの側板前面にレールがキャビネットユニットの高さ方向に設けられ、レールに沿って機能部材の取り付け高さが可変とされていることを特徴とする厨房装置。
【請求項２】
機能部材を所定高さに固定するロック機構を備えている請求項１記載の厨房装置。
【請求項３】
ロック機構は、レールに形成された一定間隔で縦列する複数の孔と、機能部材を後方より支持する支持部から後方に延設された係合片とから構成され、孔を通じてレール内部に係合片が挿入され、孔の下端において支持部が係止されることにより機能部材が固定される請求項２記載の厨房装置。
【請求項４】
ロック機構は、レールの左右両側において一定間隔で突出する突部により形成された凹凸状の溝と、機能部材を後方より支持する支持部から左右に出没自在に設けられたアームとから構成され、アームが突部上端に係止されることにより機能部材が固定される請求項２記載の厨房装置。
【請求項５】
ロック機構は、レール内部に配設された歯部と、機能部材を後方より支持する支持部の後端部に設けられた、歯部に対応する形状を有する歯合部とから構成され、歯合部が歯部と歯合することにより機能部材が固定される請求項２記載の厨房装置。
【発明の詳細な説明】
【技術分野】
【０００１】
この出願の発明は、厨房装置に関するものである。さらに詳しくは、この出願の発明は、カウンター、サポートバー、タオル掛け等の機能部材の取り付け位置がキャビネットユニットの高さ方向に可変であり、使い勝手の向上した厨房装置に関するものである。
【背景技術】
【０００２】
複数のキャビネットユニットが横方向に並設され、前方にカウンター、サポートバー、タオル掛け等の種々の機能部材を備えた厨房装置が知られている（たとえば、特許文献１参照）。
【特許文献１】特開２００３−３８２７０号公報
【発明の開示】
【発明が解決しようとする課題】
【０００３】
しかしながら、上記特許文献１に記載された厨房装置では、機能部材は、キャビネットユニットに備えた回転扉の開閉や引き出しの出し入れを阻害しないように、厨房装置の上方に位置する幕板の前方に配設されている。したがって、機能部材は、厨房装置の横方向にスライド可能とされているものの、機能部材の取り付け位置は厨房装置の上方に制限されており、炊事等の作業を行う者にとって必ずしも使い勝手が良くなってはいない。作業者の身長や行う作業の種類等により適当な高さは異なることがある。
【０００４】
この出願の発明は、このような事情に鑑みてなされたものであり、機能部材の取り付け位置がキャビネットユニットの高さ方向に可変であり、使い勝手の向上した厨房装置を提供することを解決すべき課題としている。
【課題を解決するための手段】
【０００５】
この出願の発明は、上記の課題を解決するものとして、第１には、複数のキャビネットユニットが横方向に並設され、前方に機能部材を備えた厨房装置において、キャビネットユニットの側板前面にレールがキャビネットユニットの高さ方向に設けられ、レールに沿って機能部材の取り付け高さが可変とされていることを特徴とする厨房装置を提供する。
【０００６】
この出願の発明は、第２には、上記第１の厨房装置において、機能部材を所定高さに固定するロック機構を備えている厨房装置を提供する。
【０００７】
この出願の発明は、第３には、上記第２の厨房装置において、ロック機構は、レールに形成された一定間隔で縦列する複数の孔と、機能部材を後方より支持する支持部から後方に延設された係合片とから構成され、孔を通じてレール内部に係合片が挿入され、孔の下端において支持部が係止されることにより機能部材が固定される厨房装置を提供する。
【０００８】
この出願の発明は、第４には、上記第２の厨房装置において、ロック機構は、レールの左右両側において一定間隔で突出する突部により形成された凹凸状の溝と、機能部材を後方より支持する支持部から左右に出没自在に設けられたアームとから構成され、アームが突部上端に係止されることにより機能部材が固定される厨房装置を提供する。
【０００９】
この出願の発明は、第５には、ロック機構は、レール内部に配設された歯部と、機能部材を後方より支持する支持部の後端部に設けられた、歯部に対応する形状を有する歯合部とから構成され、歯合部が歯部と歯合することにより機能部材が固定される厨房装置を提供する。
【発明の効果】
【００１０】
この出願の発明の第１の厨房装置によれば、カウンター、サポートバー、タオル掛け等の機能部材の取り付け高さがキャビネットユニットの高さ方向に可変となり、作業者の身長や行う作業の種類等に応じた適当な高さに機能部材を取り付けることができる。
【００１１】
この出願の発明の第２の厨房装置によれば、上記第１の厨房装置の効果に加え、機能部材をキャビネットユニットの所定高さに固定することができる。
【００１２】
この出願の発明の第３、第４および第５の厨房装置によれば、上記第１および第２の厨房装置の効果に加え、機能部材の高さ方向の移動と所定高さでの固定を容易に行うことができる。
【発明を実施するための最良の形態】
【００１３】
以下、図面に沿ってこの出願の発明の厨房装置についてさらに詳しく説明する。
【００１４】
図１は、この出願の発明の厨房装置の概要を示した要部正面図である。
【００１５】
図１に示したように、この出願の発明の厨房装置では、複数のキャビネットユニット（１）が横方向に並設され、前方にカウンター（２）、サポートバー（３）、タオル掛け（４）等の機能部材が備えられている。
【００１６】
そして、この出願の発明の厨房装置では、キャビネットユニット（１）の側板（５）の前面にレール（６）がキャビネットユニット（１）の高さ方向に設けられ、カウンター（２）、サポートバー（３）、タオル掛け（４）等の機能部材は、レール（６）に沿って取り付け高さが可変とされている。
【００１７】
このように、この出願の発明の厨房装置では、機能部材は、厨房装置の前方に配置される一方で、レール（６）に沿ってキャビネットユニット（１）の高さ方向に取り付け高さを変えることができるため、厨房装置を使用する者の身長、行う作業内容等に応じた適当な高さに機能部材を取り付けることができ、使い勝手が良好となっている。キャビネットユニット（１）に備えられる回転扉の開閉や引き出しの出し入れに際しては、機能部材を回転扉や引き出しが当たらない位置に移動させたり、取り外したりすることができ、機能部材が回転扉の開閉や引き出しの出し入れを阻害することはない。また、図１に示した厨房装置では、カウンター（２）、サポートバー（３）、タオル掛け（４）等の機能部材は、キャビネットユニット（１）毎に設けられているが、この出願の発明の厨房装置では、隣接する２以上のキャビネットユニット（１）を跨いで取り付けることもできる。機能部材に要求される長さに応じて機能部材をレール（６）間に取り付けることができる。
【００１８】
このようなこの出願の発明の厨房装置には、機能部材を所定高さに固定するロック機構を組み込むことができる。ロック機構により機能部材を必要とされる高さに固定しておくことができる。
【００１９】
ロック機構としては、たとえば図２に示したものを採用することができる。図２＜ａ＞はレールの正面図であり、図２＜ｂ＞は機能部材のロック状態を示した断面図である。
【００２０】
図２に示したロック機構は、レール（６）に形成された一定間隔で縦列する複数の孔（７）と、図１に示したカウンター（２）、サポートバー（３）、タオル掛け（４）等の機能部材（８）を後方より支持する支持部（９）から後方に延設された係合片（１０）とから構成されている。
【００２１】
このようなロック機構を用いて機能部材（８）を固定する際には、必要とされる取り付け高さに対応する孔（７）を選択し、この孔（７）を通じてレール（６）の内部に係合片（１０）を挿入し、孔（７）の下端において支持部（９）が係止されるようにする。この操作により、機能部材（８）は、係合片（１０）が挿入された孔（７）の高さに固定される。機能部材（８）の取り付け高さを変える際には、機能部材（８）を上方に少し持ち上げ、係合片（１０）を孔（７）に一致させ、前方へ引き出せば、機能部材（８）は、レール（６）から取り外すことができる。そして、別の孔（７）を選択し、上記した固定の際に行う操作を同様に行えばよい。このように、図２に示したロック機構は、構造が簡単であり、操作が容易でもあるので、機能部材（８）の高さ方向の移動と所定高さでの固定を容易に行うことができる。
【００２２】
ロック機構には、また、図３に示したものを採用することができる。
【００２３】
図３に示したロック機構は、レール（６）の左右両側において一定間隔で突出する突部（１１）により形成された凹凸状の溝（１２）と、図１に示したカウンター（２）、サポートバー（３）、タオル掛け（４）等の機能部材を後方より支持する支持部（９）から左右に出没自在に設けられたアーム（１３）とから構成されている。このロック機構では、支持部（９）のアーム（１３）がレール（６）の突部（１１）の上端に係止されることにより機能部材が固定される。
【００２４】
このようなロック機構では、アーム（１３）が、突部（１１）との接触により内側に押し込められ、支持部（９）が、凹状に幅の狭くなった溝（１２）内を移動することができる。また、アーム（１３）は、支持部（９）が凸状に幅の広くなった溝（１２）に位置すると、外側に突出する。このようなアーム（１３）の出没の繰り返しにより、図３に示したロック機構では、機能部材の上下方向のスライドが可能となっている。したがって、図３に示したロック機構により機能部材の取り付け高さを変える際には、アーム（１３）が外側に突出し、突部（１１）の上端に係止される位置まで機能部材を上下に移動させればよい。このように、図３に示したロック機構もまた構造が簡単であり、操作が容易でもあるので、機能部材の高さ方向の移動と所定高さでの固定を容易に行うことができる。
【００２５】
ロック機構は、図４に示したものも採用することができる。図４＜ａ＞は要部側面図、図４＜ｂ＞は要部正面図、図４＜ｃ＞は要部平面図である。
【００２６】
図４に示したロック機構は、レール（６）の内部に配設された歯部（１４）と、図１に示したカウンター（２）、サポートバー（３）、タオル掛け（４）等の機能部材（８）を後方より支持する支持部（９）の後端部に設けられた歯合部（１５）とから構成されている。このロック機構において、歯合部（１５）は、歯部（１４）に対応する形状を有している。
【００２７】
このようなロック機構による機能部材（８）の固定は、図４＜ａ＞に示したように、支持部（９）の後端部の歯合部（１５）をレール（６）の内部の歯部（１４）と歯合させることにより実現される。機能部材（８）の取り付け高さを変える際には、機能部材（８）を前方に少し引き出すようにして、図１＜ａ＞に示したように上方へと回動させる。この状態では、図５に示したように、機能部材（８）は上下方向のスライドが可能である。したがって、機能部材（８）の取り付け高さを変えるには、機能部材（８）を上方に回動させたままの状態で上下方向に移動させ、そして、機能部材（８）を後方に少し押し込むようにして下方に回動させる。機能部材（８）を支持する支持部（９）の後端部の歯合部（１５）がレール（６）の歯部（１４）に歯合することにより、機能部材（８）は所定高さに固定される。
【００２８】
このように、図４に示したロック機構も、構造が簡単であり、操作が容易でもあるので、機能部材（８）の高さ方向の移動と所定高さでの固定を容易に行うことができる。
【００２９】
もちろん、この出願の発明は、以上の実施形態によって限定されるものではない。キャビネットユニットの構成および構造、機能部材の種類、ロック機構の構成および構造等の細部については様々な態様が可能であることはいうまでもない。
【図面の簡単な説明】
【００３０】
【図１】この出願の発明の厨房装置の概要を示した要部正面図である。
【図２】＜ａ＞＜ｂ＞は、それぞれ、ロック機構の一実施形態を示した正面図、断面図である。
【図３】ロック機構の別の実施形態を示した正面図である。
【図４】＜ａ＞＜ｂ＞＜ｃ＞は、それぞれ、ロック機構の別の実施形態を示した要部側面図、要部正面図、要部平面図である。
【図５】図４に示したロック機構による機能部材の取り付け高さを変える操作を示した要部側面図である。
【符号の説明】
【００３１】
１    キャビネットユニット
２    カウンター
３    サポートバー
４    タオル掛け
５    側板
６    レール
７    孔
８    機能部材
９    支持部
１０    係合片
１１    突部
１２    溝
１３    アーム
１４    歯部
１５    歯合部
【図１】
2006006553.tif 000003
【図２】
2006006553.tif 000004
【図３】
2006006553.tif 000005
【図４】
2006006553.tif 000006
【図５】
2006006553.tif 000007